【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
ワークに対して切削工具により二種類の穴を形成することで、穴付きの部品を製造する製造方法であって、
前記切削工具が、
第一の穴を形成する第一のドリルと、
前記第一の穴よりも大径の第二の穴を形成する第二のドリルと、を備え、
前記第二のドリルは、前記第一のドリルの周りに同軸上に設けられ、かつ、前記第一のドリルと前記第二のドリルとは、これらの相対位置が変化するように、軸方向にスライド自在であり、
前記製造方法は、
前記第一のドリルと前記第二のドリルとの相対位置が、第一のドリルの先端が第二のドリルの先端から突出した第一の相対位置に調整された状態で、前記第一のドリルにより、前記ワークに前記第一の穴を形成する第一の加工工程と、
前記第一のドリルと前記第二のドリルとの相対位置を、前記第一のドリルの先端が前記第二のドリルに収容されているか、又は、前記第一の相対位置と比較して、前記第二のドリルの先端からの前記第一のドリルの先端の突出量が小さい第二の相対位置に調整する調整工程と、
前記第一のドリルと前記第二のドリルとの相対位置が前記第二の相対位置に調整された状態で、前記第二のドリルにより、前記ワークに前記第二の穴を形成する第二の加工工程と、を備える、
ことを特徴とする製造方法。
【請求項２】
ワークに対して切削工具により段付き穴を形成することで、穴付きの部品を製造する製造方法であって、
前記切削工具が、
第一の穴を形成する第一のドリルと、
前記第一の穴よりも大径の第二の穴を形成する第二のドリルと、を備え、
前記第二のドリルは、前記第一のドリルの周りに同軸上に設けられ、かつ、前記第一のドリルと前記第二のドリルとは、これらの相対位置が変化するように、軸方向にスライド自在であり、
前記製造方法は、
前記第一のドリルと前記第二のドリルとの相対位置が、第一のドリルの先端が第二のドリルの先端から突出した第一の相対位置に調整された状態で、前記第一のドリルにより、前記ワークに前記第一の穴を形成する第一の加工工程と、
前記第一のドリルと前記第二のドリルとの相対位置を、前記第一の相対位置と比較して、前記第二のドリルの先端からの前記第一のドリルの先端の突出量が小さい第二の相対位置に調整する調整工程と、
前記第一のドリルと前記第二のドリルとの相対位置が前記第二の相対位置に調整された状態で、前記第二のドリルにより前記第一の穴と同心の前記第二の穴を形成し、前記段付き穴を形成する第二の加工工程と、を備える、
ことを特徴とする製造方法。
【請求項３】
請求項２に記載の製造方法であって、
前記第二の加工工程では、前記第二のドリルの先端からの前記第一のドリルの先端の突出量を小さくしながら前記第二の穴を形成する、
ことを特徴とする製造方法。
【請求項４】
請求項２に記載の製造方法であって、
前記第一の加工工程の前に、前記段付き穴を形成する位置に窪みを加工する窪み加工工程を更に備え、
前記窪み加工工程では、
前記第一のドリルと前記第二のドリルとの相対位置が、前記第一のドリルの先端が前記第二のドリルの先端よりも突出し、かつ、前記第一の相対位置と比較して、前記第二のドリルの先端からの前記第一のドリルの先端の突出量が小さくなるように調整された状態で、前記第一のドリルにより前記窪みを加工する、
ことを特徴とする製造方法。
【請求項５】
切削工具を回転駆動する加工ユニットと、
前記加工ユニットを前記切削工具の軸方向に移動可能な移動ユニットと、を備え、
前記切削工具は、
第一の穴を形成する第一のドリルと、
前記第一の穴よりも大径の第二の穴を形成する第二のドリルと、を備え、
前記第二のドリルは、前記第一のドリルの周りに同軸上に設けられ、かつ、前記第一のドリルと前記第二のドリルとは、これらの相対位置が変化するように、軸方向にスライド自在であり、
前記加工ユニットは、
前記第一のドリルと前記第二のドリルとの前記軸方向の相対位置を変化させる相対移動機構を備える、
ことを特徴とする加工装置。
【請求項６】
請求項５に記載の加工装置であって、
前記加工ユニットは、
前記第一のドリルを支持する第一の回転部材と、
前記第一の回転部材を回転させる駆動機構と、
前記第二のドリルを支持する第二の回転部材と、を備え、
前記第一の回転部材は、
前記駆動機構の回転力が伝達される、前記軸方向で一方の端部と、
前記第一のドリルが取付けられる、前記軸方向で他方の端部と、を備え、
前記第二の回転部材は、
前記第一の回転部材から回転力が伝達される、前記軸方向で一方の端部と、
前記第二のドリルが取付けられる、前記軸方向で他方の端部と、を備える、
ことを特徴とする加工装置。
【請求項７】
請求項６に記載の加工装置であって、
前記第二の回転部材の前記一方の端部には、前記第一の回転部材が係合する係合部が設けられ、
前記係合部と前記第一の回転部材とは、前記第一の回転部材と前記第二の回転部材との前記軸方向の相対移動を許容し、かつ、前記第一の回転部材の回転を前記第二の回転部材に伝達する形状を有している、
ことを特徴とする加工装置。
【請求項８】
請求項７に記載の加工装置であって、
前記相対移動機構は、
前記第二の回転部材を、回転自在に支持する支持部と、
前記支持部を前記軸方向に移動する移動部と、を備える、
ことを特徴とする加工装置。
【請求項９】
請求項５〜８のいずれか１項に記載の加工装置であって、
ワークに対する前記切削工具の先端位置を検出する検出ユニットと、
前記検出ユニットの検出結果に基づいて、前記加工ユニット及び前記移動ユニットを制御する制御ユニットと、を更に備える、
ことを特徴とする加工装置。
【請求項１０】
請求項９に記載の加工装置であって、
前記検出ユニットは、
ワークに当接する当接部と、
前記当接部に設けられ、前記第一のドリルの先端を検出するセンサと、を備え、
前記当接部は、前記移動ユニットに対して前記軸方向にスライド自在に支持される、
ことを特徴とする加工装置。
【請求項１１】
請求項５〜１０のいずれか１項に記載の加工装置であって、
ワークにおける加工部位の周囲を囲包し、負圧吸引される内部空間を形成する吸引空間形成ユニットを更に備え、
前記吸引空間形成ユニットは、前記第一のドリル及び前記第二のドリルが通過可能な開口部を備える、
ことを特徴とする加工装置。
【請求項１２】
請求項５〜１１のいずれか１項に記載の加工装置と、
前記加工装置を移動する移動装置と、を備える、
ことを特徴とする加工システム。
【請求項１３】
所定のドリルの外側に配設されるドリルであって、
前記所定のドリルが挿通される軸方向に延びる貫通孔と、
軸方向の一方端部側に形成され、加工装置に固定される装着部と、
軸方向の他方端部側に形成され、ワークに穴を加工する刃部と、を備える、
ことを特徴とするドリル。
【手続補正２】
【補正対象書類名】明細書
【補正対象項目名】０００９
【補正方法】削除
【補正の内容】
【手続補正３】
【補正対象書類名】明細書
【補正対象項目名】００９０
【補正方法】変更
【補正の内容】
【００９０】
穴ｈ１１の加工後、図１３（Ｅ）に示すように、移動装置１０１により大径の穴の形成位置に加工装置１を移動させ、更に、ドリルＴ１とドリルＴ２の相対位置を調整する。図１３（Ｅ）の例では突出量Ｌ＝Ｌ６としている。突出量Ｌ６は、例えば、Ｌ６＜Ｌ５とし、特に、ドリルＴ１の先端Ｔ１ａが露出する程度とすることができる。
【手続補正４】
【補正対象書類名】明細書
【補正対象項目名】００９１
【補正方法】変更
【補正の内容】
【００９１】
移動ユニット３により支持ユニット５を降下させ、図１３（Ｆ）に示すように、加工ユニット２を再び降下させる。これによりワークＷおよびドリルＴ２のサイズに応じた最適な速度および推進力でドリルＴ２によってワークＷに穴が形成される。ドリルＴ１の先端Ｔ１ａがドリルＴ２の先端Ｔ２ａから突出しているので、より安定した加工を行える。ドリルＴ２の先端Ｔ２ａが所定の深さに達すると、支持ユニット５を上昇させる。穴１１と異なる位置に、径の異なる穴ｈ１２が形成される。